【手続補正書】
【提出日】平成22年11月10日(2010.11.10)
【手続補正１】
【補正対象書類名】特許請求の範囲
【補正対象項目名】全文
【補正方法】変更
【補正の内容】
【特許請求の範囲】
【請求項１】
複数のフレームレートに対応する動画像信号を生成する動画像生成手段と、
前記動画像信号の記録中にフレームレートの変更を指示する指示手段と、
前記動画像生成手段により生成された動画像信号に基づく動画像をストリームデータにして記録媒体に記録する記録手段であって、前記動画像を第１のフレームレートで記録しているときに、前記指示手段からの指示を受けつけた場合、前記第１のフレームレートよりも高速である第２のフレームレートに変更して前記動画像の記録を継続する記録手段と、
前記第２のフレームレートに変更して記録された動画像のストリームデータを識別し、識別されたストリームデータを前記記録媒体から再生する再生手段と、
前記再生手段により再生されたストリームデータのフレーム数を変換し、前記再生されたストリームデータから前記第１のフレームレートのストリームデータを生成するフレームレート変換手段とを備え、
前記記録手段が、前記動画像生成手段により生成された動画像信号に基づく前記第１のフレームレートのストリームデータと、前記フレームレート変換手段により生成された前記第１のフレームレートのストリームデータとを、連続再生可能な状態にして前記記録媒体に記録することを特徴とする画像記録装置。
【請求項２】
さらに、前記記録媒体に記録されたストリームデータの再生順序を示すプレイリストを作成するプレイリスト作成手段を備え、
前記記録手段は、前記プレイリスト作成手段により作成されたプレイリストを前記記録媒体に記録することにより前記連続再生を可能にすることを特徴とする請求項１に記載の画像記録装置。
【請求項３】
前記再生手段は、前記記録媒体に記録されたプレイリストに従って、複数の前記第１のフレームレートのストリームデータに対する連続再生を行うことを特徴とする請求項２に記載の画像記録装置。
【請求項４】
前記再生手段は、前記記録媒体に記録されたプレイリストを選択することにより、複数の前記第１のフレームレートのストリームデータに対する連続再生と、前記第２のフレームレートのストリームデータの再生とを選択して実行することを特徴とする請求項２に記載の画像記録装置。
【請求項５】
前記記録手段は、前記動画像生成手段により生成された動画像信号を、フレーム間参照を用いた符号化方式で符号化してストリームデータを生成する符号化手段を有し、前記再生手段は、前記フレーム間参照を用いた符号化方式で符号化されたストリームデータを復号化する復号手段を有することを特徴とする請求項１に記載の画像記録装置。
【請求項６】
前記フレームレート変換手段は、前記再生手段により再生されたストリームデータに含まれる前記フレーム間参照の基準となるリファレンスピクチャに対応するフレームから前記第１のフレームレートのストリームデータを生成することを特徴とする請求項５に記載の画像記録装置。
【請求項７】
前記符号化手段は、前記第１のフレームレートのストリームデータを生成するときと、前記第２のフレームレートのストリームデータを生成するときとで、符号化方法を異ならせることを特徴とする請求項５に記載の画像記録装置。
【請求項８】
前記第２のフレームレートは変更可能であって、
前記符号化手段は、前記第２のフレームレートの変更に応じて、前記第２のフレームレートのストリームデータに含まれる前記フレーム間参照の基準となるリファレンスピクチャの出現頻度を変更することを特徴とする請求項５に記載の画像記録装置。
【請求項９】
さらに音声信号を入力する音声入力手段を備え、
前記記録手段は、前記第２のフレームレートに変更して記録された動画像の期間に対応する前記音声信号を、前記フレームレート変換手段により生成された前記第１のフレームレートのストリームデータと同時に再生可能な状態にして前記記録媒体に記録することを特徴とする請求項１に記載の画像記録装置。
【請求項１０】
記録手段が、第１のフレームレートで動画像を記録媒体に記録する第１の記録ステップと、
指示手段が、記録される動画像のフレームレートの変更を指示する指示ステップと、
前記記録手段が、前記第１のフレームレートで動画像を記録中に、前記指示ステップでの指示に応じて、前記第１のフレームレートをより高速である第２のフレームレートに変更して動画像の記録を継続する第２の記録ステップと、
再生手段が、前記第２の記録ステップの後に、前記第２のフレームレートに変更して記録された動画像のストリームデータを識別し、識別されたストリームデータを前記記録媒体から再生する再生ステップと、
フレームレート変換手段が、前記再生ステップで再生されたストリームデータのフレーム数を変換し、前記再生されたストリームデータから前記第１のフレームレートのストリームデータを生成するフレームレート変換ステップと、
前記記録手段が、前記フレームレート変換ステップで生成された前記第１のフレームレートのストリームデータを前記記録媒体に記録する第３の記録ステップと、
前記記録手段が、前記第１の記録ステップで記録された動画像に基づく前記第１のフレームレートのストリームデータと前記フレームレート変換ステップで生成されたストリームデータとを連続再生するための情報を前記記録媒体に記録する第４の記録ステップとを有することを特徴とする画像記録方法。
【請求項１１】
記録手段が、第１のフレームレートで動画像を記録媒体に記録する第１の記録ステップと、
指示手段が、記録される動画像のフレームレートの変更を指示する指示ステップと、
前記記録手段が、前記第１のフレームレートで動画像を記録中に、前記指示ステップでの指示に応じて、前記第１のフレームレートをより高速である第２のフレームレートに変更して動画像の記録を継続する第２の記録ステップと、
再生手段が、前記第２の記録ステップの後に、前記第２のフレームレートに変更して記録された動画像のストリームデータを識別し、識別されたストリームデータを前記記録媒体から再生する再生ステップと、
フレームレート変換手段が、前記再生ステップで再生されたストリームデータのフレーム数を変換し、前記再生されたストリームデータから前記第１のフレームレートのストリームデータを生成するフレームレート変換ステップと、
前記記録手段が、前記フレームレート変換ステップで生成された前記第１のフレームレートのストリームデータを前記記録媒体に記録する第３の記録ステップと、
前記記録手段が、前記第１の記録ステップで記録された動画像に基づく前記第１のフレームレートのストリームデータと前記フレームレート変換ステップで生成されたストリームデータとを連続再生するための情報を前記記録媒体に記録する第４の記録ステップとを有する画像記録方法をコンピュータに実行させることを特徴とするプログラム。
【請求項１２】
請求項１１に記載のプログラムを記憶したことを特徴とするコンピュータ読み取り可能な記憶媒体。
【手続補正２】
【補正対象書類名】明細書
【補正対象項目名】００１１
【補正方法】変更
【補正の内容】
【００１１】
上記目的を達成するために、本発明の画像記録装置は、複数のフレームレートに対応する動画像信号を生成する動画像生成手段と、前記動画像信号の記録中にフレームレートの変更を指示する指示手段と、前記動画像生成手段により生成された動画像信号に基づく動画像をストリームデータにして記録媒体に記録する記録手段であって、前記動画像を第１のフレームレートで記録しているときに、前記指示手段からの指示を受けつけた場合、前記第１のフレームレートよりも高速である第２のフレームレートに変更して前記動画像の記録を継続する記録手段と、前記第２のフレームレートに変更して記録された動画像のストリームデータを識別し、識別されたストリームデータを前記記録媒体から再生する再生手段と、前記再生手段により再生されたストリームデータのフレーム数を変換し、前記再生されたストリームデータから前記第１のフレームレートのストリームデータを生成するフレームレート変換手段とを備え、前記記録手段が、前記動画像生成手段により生成された動画像信号に基づく前記第１のフレームレートのストリームデータと、前記フレームレート変換手段により生成された前記第１のフレームレートのストリームデータとを、連続再生可能な状態にして前記記録媒体に記録することを特徴とする。
【手続補正３】
【補正対象書類名】明細書
【補正対象項目名】００１２
【補正方法】変更
【補正の内容】
【００１２】
また、本発明の画像記録方法は、記録手段が、第１のフレームレートで動画像を記録媒体に記録する第１の記録ステップと、指示手段が、記録される動画像のフレームレートの変更を指示する指示ステップと、前記記録手段が、前記第１のフレームレートで動画像を記録中に、前記指示ステップでの指示に応じて、前記第１のフレームレートをより高速である第２のフレームレートに変更して動画像の記録を継続する第２の記録ステップと、再生手段が、前記第２の記録ステップの後に、前記第２のフレームレートに変更して記録された動画像のストリームデータを識別し、識別されたストリームデータを前記記録媒体から再生する再生ステップと、フレームレート変換手段が、前記再生ステップで再生されたストリームデータのフレーム数を変換し、前記再生されたストリームデータから前記第１のフレームレートのストリームデータを生成するフレームレート変換ステップと、前記記録手段が、前記フレームレート変換ステップで生成された前記第１のフレームレートのストリームデータを前記記録媒体に記録する第３の記録ステップと、前記記録手段が、前記第１の記録ステップで記録された動画像に基づく前記第１のフレームレートのストリームデータと前記フレームレート変換ステップで生成されたストリームデータとを連続再生するための情報を前記記録媒体に記録する第４の記録ステップとを有することを特徴とする。
【手続補正４】
【補正対象書類名】明細書
【補正対象項目名】００１３
【補正方法】変更
【補正の内容】
【００１３】
また、本発明のプログラムは、記録手段が、第１のフレームレートで動画像を記録媒体に記録する第１の記録ステップと、指示手段が、記録される動画像のフレームレートの変更を指示する指示ステップと、前記記録手段が、前記第１のフレームレートで動画像を記録中に、前記指示ステップでの指示に応じて、前記第１のフレームレートをより高速である第２のフレームレートに変更して動画像の記録を継続する第２の記録ステップと、再生手段が、前記第２の記録ステップの後に、前記第２のフレームレートに変更して記録された動画像のストリームデータを識別し、識別されたストリームデータを前記記録媒体から再生する再生ステップと、フレームレート変換手段が、前記再生ステップで再生されたストリームデータのフレーム数を変換し、前記再生されたストリームデータから前記第１のフレームレートのストリームデータを生成するフレームレート変換ステップと、前記記録手段が、前記フレームレート変換ステップで生成された前記第１のフレームレートのストリームデータを前記記録媒体に記録する第３の記録ステップと、前記記録手段が、前記第１の記録ステップで記録された動画像に基づく前記第１のフレームレートのストリームデータと前記フレームレート変換ステップで生成されたストリームデータとを連続再生するための情報を前記記録媒体に記録する第４の記録ステップとを有する画像記録方法をコンピュータに実行させることを特徴とする。